(57)【要約】【課題】被検者の体調変化をより高精度に検知して、体調変化に応じた体温測定を実現する。【解決手段】被検体に貼付または装着して被検体の体温を測定する体温計であって、被検体の単位時間当たりの心拍数または脈拍数を測定する拍数測定部と、拍数測定部により測定された心拍数または脈拍数に応じて、被検体の体温を測定する測定間隔を制御する間隔制御部と、間隔制御部により制御された測定間隔で被検体の体温を測定する体温測定部とを備える。【選択図】  図４
2014064751.tif 000002
【特許請求の範囲】
【請求項１】
被検体に貼付または装着して前記被検体の体温を測定する体温計であって、
前記被検体の単位時間当たりの心拍数または脈拍数を測定する拍数測定手段と、
前記拍数測定手段により測定された心拍数または脈拍数に応じて、前記被検体の体温を測定する測定間隔を制御する間隔制御手段と、
前記間隔制御手段により制御された測定間隔で前記被検体の体温を測定する体温測定手段と、
を備えることを特徴とする体温計。
【請求項２】
前記間隔制御手段は、
前記拍数測定手段により測定された前記単位時間当たりの心拍数または脈拍数が閾値以上である場合、前記測定間隔を第１の測定間隔に設定し、
前記単位時間当たりの心拍数または脈拍数が閾値未満である場合、前記測定間隔を前記第１の測定間隔よりも長い第２の測定間隔に設定する
ことを特徴とする請求項１に記載の体温計。
【請求項３】
前記間隔制御手段は、
前記拍数測定手段により測定された前記単位時間当たりの心拍数または脈拍数の、前記被検体について予め測定された単位時間当たりの平常時の心拍数または脈拍数に対する増加数が閾値以上である場合、前記測定間隔を第１の測定間隔に設定し、
前記増加数が閾値未満である場合、前記測定間隔を前記第１の測定間隔よりも長い第２の測定間隔に設定する
ことを特徴とする請求項１に記載の体温計。
【請求項４】
前記閾値を設定するための設定データのユーザ入力を受け付ける入力受付手段をさらに備え、
前記間隔制御手段は、前記入力受付手段により受け付けられた前記設定データを前記閾値として設定することを特徴とする請求項２または３に記載の体温計。
【請求項５】
前記閾値を設定するための設定データを受信するデータ受信手段をさらに備え、
前記間隔制御手段は、前記データ受信手段により受信された前記設定データを前記閾値として設定することを特徴とする請求項２または３に記載の体温計。
【請求項６】
前記測定間隔は、前記拍数測定手段により測定された前記単位時間当たりの心拍数または脈拍数の関数であり、
前記間隔制御手段は、前記関数に従って前記測定間隔を一意に決定することを特徴とする請求項１に記載の体温計。
【請求項７】
前記関数を設定するための関数設定データのユーザ入力を受け付ける入力受付手段をさらに備え、
前記間隔制御手段は、前記入力受付手段により受け付けられた前記関数設定データにより前記関数を設定し、当該関数に従って前記測定間隔を一意に決定することを特徴とする請求項６に記載の体温計。
【請求項８】
前記関数を設定するための関数設定データを受信するデータ受信手段をさらに備え、
前記間隔制御手段は、前記データ受信手段により受信された前記関数設定データにより前記関数を設定し、当該関数に従って前記測定間隔を一意に決定することを特徴とする請求項６に記載の体温計。
【請求項９】
前記拍数測定手段は、加速度センサを備えており、前記加速度センサの出力に基づいて前記被検体の単位時間当たりの心拍数または脈拍数を測定することを特徴とする請求項１乃至８の何れか１項に記載の体温計。
【請求項１０】
前記拍数測定手段は、赤外発光ＬＥＤおよび赤外線センサを備えており、前記赤外線センサの出力に基づいて前記被検体の単位時間当たりの心拍数または脈拍数を測定することを特徴とする請求項１乃至８の何れか１項に記載の体温計。
【請求項１１】
前記拍数測定手段は、圧電センサを備えており、前記圧電センサの出力に基づいて前記被検体の単位時間当たりの心拍数または脈拍数を測定することを特徴とする請求項１乃至８の何れか１項に記載の体温計。
【請求項１２】
前記拍数測定手段は、前記体温測定手段が前記被検体の体温を測定するタイミングと同じタイミングで、前記被検体の単位時間当たりの心拍数または脈拍数を測定することを特徴とする請求項１乃至１１の何れか１項に記載の体温計。
【請求項１３】
前記体温測定手段により測定された前記被検体の体温データを逐次送信するデータ送信手段をさらに備えることを特徴とする請求項１乃至１２の何れか１項に記載の体温計。
【請求項１４】
前記体温測定手段により測定された前記被検体の体温データを逐次記憶するデータ記憶手段をさらに備えることを特徴とする請求項１乃至１３の何れか１項に記載の体温計。
【請求項１５】
拍数測定手段と、間隔制御手段と、体温測定手段とを備えており、被検体に貼付または装着して前記被検体の体温を測定する体温計の制御方法であって、
前記拍数測定手段が、前記被検体の単位時間当たりの心拍数または脈拍数を測定する拍数測定工程と、
前記間隔制御手段が、前記拍数測定工程で測定された心拍数または脈拍数に応じて、前記被検体の体温を測定する測定間隔を制御する間隔制御工程と、
前記体温測定手段が、前記間隔制御工程で制御された測定間隔で前記被検体の体温を測定する体温測定工程と、
を有することを特徴とする体温計の制御方法。
【請求項１６】
請求項１５に記載の体温計の制御方法の各工程をコンピュータに実行させるためのプログラム。
【発明の詳細な説明】
【技術分野】
【０００１】
本発明は、体温計、体温計の制御方法、およびプログラムに関する。
【背景技術】
【０００２】
従来より、被検者の体表面に貼付または装着して被検者の深部の体温を測定する体温計が知られている（例えば、特許文献１参照）。
【０００３】
被検者に貼付または装着して体温を連続的に測定する体温計においては、電池寿命や電池サイズの観点から省電力化の必要性が大きい。特に、測定した体温データを逐次無線で送信する方式の場合、データ送信に要する電力が大きいため、データ送信の回数はできるだけ少ない方がよい。また、測定した体温データを逐次メモリに記録する方式の場合、必要となるメモリのサイズやコストの観点からも体温測定回数はできるだけ少ない方が好ましい。
【０００４】
その一方で、被検者の体調が悪化しているような場合には短い測定間隔で体温を測定して、被検者の容体を監視したいというニーズがある。
【０００５】
これに対して特許文献２では、被検者の体温が所定値以上である場合に体温の測定間隔を短くする技術が開示されている。
【先行技術文献】
【特許文献】
【０００６】
【特許文献１】特開２００７−２１２４０７号公報
【特許文献２】特開２００７−２２９０７８号公報
【発明の概要】
【発明が解決しようとする課題】
【０００７】
しかしながら、特許文献２のように、被検者の体調の変化の指標として体温を用いる場合、体温は加齢や内服薬剤の影響を受けやすい指標であるため、必ずしも適切な測定間隔で体温測定が行われるとは限らないという課題がある。
【０００８】
上記の課題に鑑み、本発明は、被検者の体調変化を高精度に検知して、体調変化に応じた体温測定を実現することを目的とする。
【課題を解決するための手段】
【０００９】
上記の目的を達成する本発明に係る体温計は、
被検体に貼付または装着して前記被検体の体温を測定する体温計であって、
前記被検体の単位時間当たりの心拍数または脈拍数を測定する拍数測定手段と、
前記拍数測定手段により測定された心拍数または脈拍数に応じて、前記被検体の体温を測定する測定間隔を制御する間隔制御手段と、
前記間隔制御手段により制御された測定間隔で前記被検体の体温を測定する体温測定手段と、
を備えることを特徴とする。
【発明の効果】
【００１０】
本発明によれば、被検者の体調変化を高精度に検知して、体調変化に応じた体温測定を実現することができる。
【図面の簡単な説明】
【００１１】
【図１】本発明の第１実施形態に係る体温計と、当該体温計と通信可能な体温表示装置とを備える体温測定システムの外観構成を示す図である。
【図２】本発明の第１実施形態に係る体温計の機能構成を示す図である。
【図３】本発明の第１実施形態に係る体温表示装置の機能構成を示す図である。
【図４】本発明の第１実施形態に係る体温計が実施する処理の手順を示すフローチャートである。
【図５】本発明の第２実施形態に係る体温計が実施する処理の手順を示すフローチャートである。
【図６】本発明の第３実施形態に係る体温計が実施する測定間隔算出処理で使用される関数の一例を示す図。
【図７】本発明の第３実施形態に係る体温計が実施する処理の手順を示すフローチャートである。
【発明を実施するための形態】
【００１２】
以下、本発明の各実施形態について図面を参照しながら説明する。
【００１３】
［第１実施形態］
１．体温測定システムの外観構成
まず図１を参照して、第１実施形態に係る体温計１０と、当該体温計１０と通信可能な体温表示装置２０とを備える体温測定システムの外観構成を説明する。
【００１４】
体温計１０は、被検体の体表面３０に貼付または装着されて、被検体の体温を測定する。本実施形態では、被検体の単位時間当たりの心拍数を測定するために、被検体の体表面３０として主に左胸部を想定しているが、必ずしも左胸部に限定されず、心拍数が測定できる範囲に体温計１０が貼付または装着されていればよい。また、心拍数ではなく、脈拍数を用いてもよい。その場合、脈拍数が測定できる範囲に体温計１０が貼付または装着されていればよい。
【００１５】
体温計１０としては、例えば熱流式の体温計を用いることができるが、その他の方式の体温計であってもよい。体温計１０は、通信を行うためのアンテナ部を備えるＲＦ−ＩＤタグ（不図示）を備えており、測定した体温データおよび／または各種の情報を、無線通信により体温表示装置２０へ送信する。
【００１６】
体温表示装置２０は、所定の周波数、例えば１３．５６ＭＨｚの電磁波を送信するＲＦ−ＩＤリーダ／ライタ（不図示）を備えており、ＲＦ−ＩＤタグを有する体温計１０が貼り付けられた測定部位から５〜１５ｍｍ程度の位置に近づけた際に、ＲＦ−ＩＤタグとの間で磁気結合し、ＲＦ−ＩＤタグから体温データおよび／または各種情報を受信することができる。なお、本実施形態ではＲＦ−ＩＤにより通信を行う例を説明しているが、任意の無線通信技術を使用して通信を行ってもよい。
【００１７】
２．体温計の機能構成
次に、図２を参照して、第１実施形態に係る体温計１０の機能構成について説明する。体温計１０は、アンテナ１００と、処理部１１０と、拍数測定部１２０と、体温測定部１３０とを備えている。
【００１８】
処理部１１０は、制御部１１１と、間隔制御部１１２と、データ記憶部１１３と、無線通信部１１４とを備えている。制御部１１１は、データ記憶部１１３（記憶媒体）に格納されたプログラムを読み出して実行することにより各構成要素の動作を制御する。間隔制御部１１２は、拍数測定部１２０により測定された被検体の単位時間当たりの心拍数または脈拍数に基づいて、体温測定部１３０による被検体の体温測定間隔を制御する。データ記憶部１１３は、体温測定部１３０により測定された被検体の体温データを逐次記憶する。また、制御部１１１が実行するプログラム、体温計１０が有するＲＦ−ＩＤタグ固有の識別情報、その他のデータ等を記憶する。
【００１９】
無線通信部１１４は、データ送信部１１４１と、データ受信部１１４２とを備えており、アンテナ１００を介して体温表示装置２０との間で各種データを送受信する。体温測定部１３０により測定した被検体の体温データを逐次送信することができる。
【００２０】
拍数測定部１２０は、心拍数または脈拍数を検知するセンサ部１２０１と、センサ部１２０１の出力を処理する回路部１２０２とを備えており、被検体の単位時間当たり（例えば１分間当たり）の心拍数または脈拍数を測定する。心拍数や脈拍数は被検体の体調を示す重要なバイタルサインであり、例えばΔ心拍数／Δ体温＞２０である場合、被検体に細菌感染症が疑われるというΔ２０ルールが広く知られている。すなわち、体温の変化では捉えられない体調変化を、心拍数や脈拍数の測定により捉えることができる。拍数測定部１２０において、センサ部１２０１として、加速度センサ、圧電センサ、赤外線センサなどを使用することができる。
【００２１】
まずは加速度センサを使用する場合について説明する。拍動により被検体の胸部が往復運動し、それに伴って胸部に貼付した加速度センサも往復運動する。これにより加速度センサに出力が生じるため、被検体の心拍数や脈拍数の測定を行うことができる。
【００２２】
次に圧電センサを使用する場合について説明する。圧電センサとは、圧電体に加えられた力を電圧に変換するセンサであり、拍動に伴う圧電センサへの力のかかり具合から、心拍数や脈拍数を測定することが可能となる。
【００２３】
さらに赤外線センサを使用する場合について説明する。赤外線センサとは、赤外発光ＬＥＤ等から照射された赤外領域の光（赤外線）を受光して電気信号に変換することで各種の情報を取得するセンサである。赤外発光ＬＥＤおよび赤外線センサを用いることで、血液の流れに伴う赤外線吸収の変化を検出して脈拍数を測定することが可能となる。
【００２４】
間隔制御部１１２は、拍数測定部１２０により測定された単位時間当たりの拍数が閾値Ｔｈ１（例えば１００回／分）以上であるか否かを判定し、閾値Ｔｈ１以上であると判定した場合、体温測定部１３０による被検体の体温の測定間隔を第１の測定間隔Ｔｓ（例えば５分）に制御する。一方で、単位時間当たりの拍数が閾値未満であると判定した場合、体温の測定間隔を第１の測定間隔Ｔｓよりも長い第２の測定間隔ＴＬ（例えば３０分）に制御する。これにより、被検体の体調に応じた測定間隔での体温測定が可能となり、不要な体温測定および体温データの無線送信による電池消耗を低減することができる。また逐次体温データをメモリに記憶する場合においては、メモリ使用量を小さくすることができる。
【００２５】
体温測定部１３０は、温度を検知するセンサ部１３０１と、センサ部１３０１の出力を処理する回路部１３０２とを備えており、間隔制御部１１２により制御された測定間隔で被検体の体温を測定する。
【００２６】
なお一般に健常時には心拍数と脈拍数は同じになる。以下では心拍数を例にとって説明する。
【００２７】
３．体温表示装置の機能構成
次に、図３を参照して、第１実施形態に係る体温表示装置２０の機能構成について説明する。体温表示装置２０は、電池、充電池等で構成される電源部、電源ＯＮ／ＯＦＦスイッチを含む操作スイッチを備えているが、ここでは省略している。
【００２８】
図３において、体温表示装置２０は、ＲＦ−ＩＤリーダ／ライタ２００と、制御部２１０と、データ記憶部２２０と、表示部２３０と、有線通信部２４０と、入力受付部２５０とを備えている。
【００２９】
ＲＦ−ＩＤリーダ／ライタ２００は、アンテナ２０１と、無線通信部２０２と、信号変換部２０３と、信号処理部２０４とを備える。アンテナ２０１は、体温計１０が有するＲＦ−ＩＤタグから、測定された体温データ等を受信する。また、入力受付部２５０を介してユーザ入力された各種データを体温計１０が有するＲＦ−ＩＤタグへ送信することもできる。
【００３０】
無線通信部２０２は、アンテナ２０１を介して体温計１０のＲＦ−ＩＤタグから受信したデータを信号変換部２０３へ出力する。また、入力受付部２５０を介してユーザ入力された各種データをアンテナ２０１へ出力する。
【００３１】
信号変換部２０３は、無線通信部２０２から受信したデータをデジタルデータへ変換して、信号処理部２０４へ出力する。信号処理部２０４は、信号変換部２０３から取得したデジタルデータを処理して、制御部２１０へ送信する。
【００３２】
制御部２１０は、データ記憶部２２０（記憶媒体）に格納されたプログラムを読み出して実行することにより、無線通信部２０２、信号変換部２０３、信号処理部２０４の各動作を制御する。また、信号処理部２０４から受信したデータを識別情報とともにデータ記憶部２２０に格納したり、表示部２３０に表示したりする。また、入力受付部２５０を介してユーザ入力された各種閾値（閾値Ｔｈ１、および第２実施形態で後述する閾値Ｔｈ２等）の設定データを取得して、アンテナ２０１を介して体温計１０へ送信することができる。これにより、ユーザが閾値を設定することが可能となる。
【００３３】
データ記憶部２２０は、体温表示装置２０が体温計１０から受信した、体温計１０において測定された被検体の体温データや、制御部２１０が実行するプログラム、体温表示装置２０が有するＲＦ−ＩＤ固有の識別情報、その他のデータ等を記憶する。
【００３４】
表示部２３０は、例えば液晶ディスプレイであり、体温計１０から受信した被検者の体温データを表示する。表示部２３０は、ユーザ入力を受け付け可能なタッチパネルで構成されてもよい。有線通信部２４０は、データ記憶部２２０に格納された体温データを、識別情報とともに他の情報処理装置（有線通信部２４０を介して有線接続された他の情報処理装置）に送信する。
【００３５】
入力受付部２５０は、ユーザからの入力を受け付けることができ、キーボード、決定ボタンおよび選択ボタンの組み合わせ、タッチパネルを介したタッチ入力等の何れの形態を用いてもよい。
【００３６】
４．体温計が実施する処理
以下、図４のフローチャートを参照して、上述した構成を有する第１実施形態に係る体温計１０が実施する処理の手順を説明する。
【００３７】
Ｓ４０１において、拍数測定部１２０は、被検体の単位時間当たりの心拍数を測定する。例えば、１分間当たりの心拍数を測定する。
【００３８】
Ｓ４０２において、間隔制御部１１２は、拍数測定部１２０により測定された単位時間当たりの心拍数が閾値Ｔｈ１（例えば１００回／分）以上であるか否かを判定する。単位時間当たりの心拍数が閾値Ｔｈ１以上であると判定された場合（Ｓ４０２；ＹＥＳ）、Ｓ４０３へ進む。一方、単位時間当たりの心拍数が閾値Ｔｈ１未満であると判定された場合（Ｓ４０２；ＮＯ）、Ｓ４０４へ進む。なお、閾値Ｔｈ１の値は変更可能であってもよく、体温表示装置２０においてユーザ入力等された設定データを無線通信により体温計１０が取得し、当該取得した設定データを閾値Ｔｈ１として設定してもよい。あるいは、体温計１０は不図示の入力受付部をさらに備えてもよく、当該入力受付部を介したユーザ入力により取得した設定データを閾値Ｔｈ１として設定してもよい。
【００３９】
Ｓ４０３において、間隔制御部１１２は、体温測定部１３０による被検体の体温の測定間隔を第１の測定間隔Ｔｓ（例えば５分）に設定する。すなわち、心拍数が多い場合には被検体の体調が悪化していると判断できるため、体温の測定間隔を短くして被検体の体温を頻繁に監視する。
【００４０】
Ｓ４０４において、間隔制御部１１２は、体温測定部１３０による体温の測定間隔を第１の測定間隔Ｔｓよりも長い第２の測定間隔ＴＬ（例えば３０分）に設定する。
【００４１】
Ｓ４０５において、間隔制御部１１２は、前回体温測定を行ったときから、Ｓ４０３またはＳ４０４で設定された測定間隔に相当する時間が経過したか否かを判定する。設定された測定間隔に相当する時間が経過したと判定された場合（Ｓ４０５；ＹＥＳ）、Ｓ４０６へ進む。一方、設定された測定間隔に相当する時間がまだ経過していないと判定された場合（Ｓ４０５；ＮＯ）、経過するまで待機する。
【００４２】
Ｓ４０６において、体温測定部１３０は、被検体の体温を測定する。以上で図４のフローチャートの各処理が終了する。なお、継続的に体温測定を行う場合には図４のフローチャートに示す各処理を繰り返し実施すればよい。その際、Ｓ４０６で体温測定部１３０が被検体の体温を測定するタイミングと同じタイミングで、Ｓ４０１における被検体の単位時間当たりの拍数測定処理を行ってもよい。
【００４３】
以上説明したように、本実施形態では、被検体の単位時間当たりの心拍数を測定し、測定された心拍数に応じて制御された測定間隔で被検体の体温を測定する。これにより、被検体の体調変化を高精度に検知して、体調変化に応じた体温測定を実現することができる。そのため必要に応じた頻度の体温測定が可能となり、不要な体温測定動作および体温データの無線送信による電池消耗を低減することができる。また逐次体温データをメモリに格納する場合においては、メモリ使用量を小さくすることができる。
【００４４】
［第２実施形態］
第１実施形態では、単位時間当たりの心拍数（または脈拍数）と閾値との比較に基づいて体温測定間隔を制御する構成を説明した。これに対して、第２実施形態では、単位時間当たりの心拍数（または脈拍数）の、平常時の心拍数（または脈拍数）に対する増加数と閾値との比較に基づいて体温測定間隔を制御する構成を説明する。本実施形態の説明において、第１実施形態と同じ構成要素については同じ参照符号を付している。なお以下では心拍数を例に説明する。
【００４５】
また本実施形態に係る体温計１０の構成は第１実施形態と同様であるため詳細な説明は省略する。ただし、間隔制御部１１２の機能が第１実施形態とは異なっている。
【００４６】
本実施形態に係る間隔制御部１１２は、拍数測定部１２０により測定された単位時間当たりの心拍数の、被検体について予め測定された単位時間当たりの平常時の心拍数に対する増加数が閾値Ｔｈ２（例えば２０回／分）以上であるか否かを判定し、閾値以上であると判定した場合、体温測定部１３０による被検体の体温の測定間隔を第１の間隔Ｔｓ（例えば５分）に制御する。一方で、単位時間当たりの心拍数の増加数が閾値未満であると判定した場合、体温の測定間隔を第１の間隔よりも長い第２の間隔ＴＬ（例えば３０分）に制御する。
【００４７】
以下、図５のフローチャートを参照して、上述した構成を有する第２実施形態に係る体温計１０が実施する処理の手順を説明する。
【００４８】
Ｓ５０１において、拍数測定部１２０は、被検体の単位時間当たりの心拍数を測定する。例えば、１分間当たりの心拍数を測定する。Ｓ５０２において、間隔制御部１１２は、拍数測定部１２０により測定された単位時間当たりの心拍数の、被検体について予め測定された単位時間当たりの平常時の心拍数に対する増加数を算出する。
【００４９】
Ｓ５０３において、間隔制御部１１２は、平常時の心拍数に対する増加数が閾値Ｔｈ２（例えば２０回／分）以上であるか否かを判定する。増加数が閾値Ｔｈ２以上であると判定された場合（Ｓ５０３；ＹＥＳ）、Ｓ５０４へ進む。一方、増加数が閾値Ｔｈ２未満であると判定された場合（Ｓ５０３；ＮＯ）、Ｓ５０５へ進む。なお、閾値Ｔｈ２の値は変更可能であってもよく、体温表示装置２０においてユーザ入力等された設定データを無線通信により体温計１０が取得し、当該取得した設定データを閾値Ｔｈ２として設定してもよい。あるいは、体温計１０は不図示の入力受付部をさらに備えてもよく、当該入力受付部を介したユーザ入力により取得した設定データを閾値Ｔｈ２として設定してもよい。
【００５０】
以降Ｓ５０４乃至Ｓ５０７の各処理は、それぞれ図４のＳ４０３乃至Ｓ４０６の各処理と同様であるため説明を省略する。以上で図５のフローチャートの各処理が終了する。なお、継続的に体温測定を行う場合には図５のフローチャートに示す各処理を繰り返し実施すればよい。その際、Ｓ５０７で体温測定部１３０が被検体の体温を測定するタイミングと同じタイミングで、Ｓ５０１における被検体の単位時間当たりの拍数測定処理を行ってもよい。
【００５１】
以上説明したように、本実施形態では、被検体の単位時間当たりの心拍数を測定し、当該心拍数の平常時からの増加数に応じて制御された測定間隔で被検体の体温を測定する。これにより、被検体ごとの個人差の影響を低減することができるため、被検体の体調変化をより高精度に検知して、体調変化に応じた体温測定を実現することができる。
【００５２】
なお、本実施形態に係る間隔制御部１１２は、第１実施形態で説明した単位時間当たりの心拍数と閾値との比較と、本実施形態に係る単位時間当たりの心拍数の増加数と閾値との比較との両方を行って測定間隔を制御してもよい。その場合、心拍数と、心拍数の増加数との少なくとも何れか一方が対応する閾値以上になった場合に、第１の間隔Ｔｓ（例えば５分）になるように測定間隔を制御すればよい。
【００５３】
［第３実施形態］
第１実施形態では、単位時間当たりの心拍数（または脈拍数）と閾値との比較に基づいて体温測定間隔を制御する構成を説明した。これに対して、第３実施形態では、単位時間当たりの心拍数（または脈拍数）の関数（測定間隔Ｔ＝ｆ（単位時間当たりの心拍数Ｘ））あるいは（測定間隔Ｔ＝ｆ（単位時間当たりの脈拍数Ｘ））として一意に体温測定間隔を決定する構成を説明する。本実施形態の説明において、第１実施形態と同じ構成要素については同じ参照符号を付している。なお以下では心拍数を例に説明する。
【００５４】
また本実施形態に係る体温計１０の構成は第１実施形態と同様であるため詳細な説明は省略する。ただし、間隔制御部１１２の機能が第１実施形態とは異なっている。本実施形態に係る間隔制御部１１２は、以下に示すような関数ｆ（測定間隔Ｔ＝ｆ（単位時間当たりの心拍数））に従って、測定された心拍数に応じた測定間隔を設定する。
【００５５】
＜関数ｆ＞
測定間隔Ｔ[分]＝６７．５−０．６２５×１分間当たりの心拍数Ｘ（６０回≦心拍数≦１００回の場合）
＝３０（心拍数＜６０回の場合）
＝５（心拍数＞１００回の場合）
上記の関数の例によれば、図６に示すように、１分間当たりの心拍数が６０回から１００回と増えるに従って測定間隔は３０分から５分へと段階的に短くなっていく。そして、心拍数が６０回未満の場合には一律に測定間隔を３０分に設定し、心拍数が１００回を超過する場合には一律に測定間隔を５分に設定している。ただし、関数ｆは上記の例に限定されず、心拍数が多いほど測定間隔を短く設定できれば何れの関数を用いてもよい。
【００５６】
以下、図７のフローチャートを参照して、第３実施形態に係る体温計１０が実施する処理の手順を説明する。
【００５７】
Ｓ７０１において、拍数測定部１２０は、被検体の単位時間当たりの心拍数を測定する。例えば、１分間当たりの心拍数を測定する。Ｓ７０２において、間隔制御部１１２は、測定された単位時間当たり心拍数と、上述した関数ｆとに基づいて一意に測定間隔を算出する。なお、関数ｆは変更可能であってもよく、体温表示装置２０においてユーザ入力等された関数設定データを無線通信により体温計１０が取得し、当該取得した関数設定データにより関数ｆを設定してもよい。あるいは、体温計１０は不図示の入力受付部をさらに備えてもよく、当該入力受付部を介したユーザ入力から取得した関数設定データにより関数ｆを設定してもよい。
【００５８】
Ｓ７０３およびＳ７０４の各処理は、図４のＳ４０５およびＳ４０６の各処理と同様であるため説明を省略する。以上で図７のフローチャートの各処理が終了する。なお、継続的に体温測定を行う場合には図７のフローチャートに示す各処理を繰り返し実施すればよい。その際、Ｓ７０４で体温測定部１３０が被検体の体温を測定するタイミングと同じタイミングで、Ｓ７０１における被検体の単位時間当たりの拍数測定処理を行ってもよい。
【００５９】
以上説明したように本実施形態によれば、予め用意した関数を用いることで心拍数に応じた細分化された測定間隔の設定が可能になる。そのため、被検体の体調変化をより高精度に検知して、体調変化をより正確に反映させた体温測定を実現することができる。
【符号の説明】
【００６０】
１０・・・体温計、２０・・・体温表示装置、３０・・・体表面、１００・・・アンテナ、１１０・・・処理部、１１１・・・制御部、１１２・・・間隔制御部、１１３・・・データ記憶部、１１４・・・無線通信部、１２０・・・拍数測定部、１３０・・・体温測定部、２００・・・ＲＦ−ＩＤリーダ／ライタ、２０１・・・アンテナ、２０２・・・無線通信部、２０３・・・信号変換部、２０４・・・信号処理部、２１０・・・制御部、２２０・・・データ記憶部、２３０・・・表示部、２４０・・・有線通信部、２５０・・・入力受付部、１１４１・・・データ送信部、１１４２・・・データ受信部、１２０１・・・センサ部、１２０２・・・回路部、１３０１・・・センサ部、１３０２・・・回路部
【図１】
2014064751.tif 000003
【図２】
2014064751.tif 000004
【図３】
2014064751.tif 000005
【図４】
2014064751.tif 000006
【図５】
2014064751.tif 000007
【図６】
2014064751.tif 000008
【図７】
2014064751.tif 000009